(57)【特許請求の範囲】
【請求項１】
建物から外側に張出しているバルコニー床を支持するバルコニー床の支持構造であって、
前記建物の外壁には、この外壁から延出する下屋が固定されており、この下屋に前記バルコニー床が固定され、該下屋によって前記バルコニー床が上方から吊持されるようにして支持されていることを特徴とするバルコニー床の支持構造。
【請求項２】
請求項１に記載のバルコニー床の支持構造において、
前記下屋の一部には、この下屋の上面から下面まで貫通する開口部が形成されていることを特徴とするバルコニー床の支持構造。
【請求項３】
請求項１または２に記載のバルコニー床の支持構造において、
前記バルコニー床には、手摺壁が固定されており、この手摺壁が前記下屋に固定されていることを特徴とするバルコニー床の支持構造。
【発明の詳細な説明】
【０００１】
【発明の属する技術分野】
本発明は、建物から外側に張出しているバルコニー床を支持するバルコニー床の支持構造に関する。
【０００２】
【背景の技術】
近年、住宅の構築については、部材の工場生産化が進み、例えば、壁、床、屋根等のような構成部材を予め工場においてパネルとして製造し、これらのパネルを現場で組み立てることによって住宅を構築する、いわゆるパネル工法が採用されている。ところで、このような工法を用いて外壁から張出してなるバルコニーを形成する場合には、床パネルで構成されたバルコニー床を片持ちとなるように住宅の外壁から張出して躯体に固定する方法が一般に採用されている（例えば、特許文献１参照。）。
【特許文献１】
特開平１１−３６７２３号公報
【０００３】
【発明が解決しようとする課題】
ところで、前記公報に記載の建物においては、張出しているバルコニー床の荷重が、このバルコニー床の基端部に位置する床パネルや壁パネルに集中しやすい。したがって、バルコニー床の張出し長さを長くすると、このバルコニー床の基端部に位置する床パネルや壁パネル等の構成部材において、許容せん断応力や許容曲げモーメントを超えてしまう場合があるので、バルコニー床を片持ち状態で支持するだけでは、バルコニー床の張出し長さを長くするのに限界がある。
【０００４】
本発明は上記事情に鑑みてなされたもので、バルコニー床の張出長さを長くしても、バルコニー床を確実かつ安定的に支持できるバルコニー床の支持構造を提供することを目的としている。
【０００５】
【課題を解決するための手段】
上記目的を達成するために、例えば図１および図２に示すように、建物から外側に張出しているバルコニー床１を支持するバルコニー床の支持構造であって、
前記建物の外壁４には、この外壁４から延出する下屋３０が固定されており、この下屋３０に前記バルコニー床１が固定され、該下屋３０によって前記バルコニー床１が上方から吊持されるようにして支持されていることを特徴とする。
【０００６】
請求項１に記載の発明によれば、外壁４に固定された下屋３０にバルコニー床１が固定されることによって、該下屋３０によってバルコニー床１が上方から吊持されるようにして支持されているので、従来に比してバルコニー床１の張出し長さを長くしても、バルコニー床１を確実かつ安定的に支持できる。
【０００７】
請求項２に記載の発明は、請求項１に記載のバルコニー床の支持構造において、
前記下屋３０の一部には、この下屋３０の上面から下面まで貫通する開口部３０ａが形成されていることを特徴とする。
【０００８】
請求項２に記載の発明によれば、下屋３０に開口部３０ａが形成されているので、この開口部３０ａによって、バルコニーから外部を観ることができるとともに、バルコニーへの採光性や通風性を確保できる。
【０００９】
請求項３に記載の発明は、請求項１または２に記載のバルコニー床の支持構造において、
前記バルコニー床１には、手摺壁２０が固定されており、この手摺壁２０が前記下屋３０に固定されていることを特徴とする。
【００１０】
請求項３に記載の発明によれば、バルコニー床１に固定された手摺壁２０が下屋３０に固定されているので、バルコニー床１は手摺壁２０を介しても下屋３０から吊持されるようにして支持され、よってより安定的にバルコニー床１を支持できる。
【００１１】
【発明の実施の形態】
以下、図面を参照して本発明の実施の形態について説明する。
図１および図２は、第１の実施の形態を示す図である。これらの図において符号１はバルコニー床を示す。このバルコニー床１は、複数の建築用床パネル２を並設するとともに、隣り合う建築用床パネル２，２どうしを接合することによって構成されたものである。建築用床パネル２は、框材２ａを矩形枠状に組立て、この矩形枠内に補強桟材を組み付けるとともに、矩形枠の上面に合板等からなる面材２ｂを取り付けたものである。
【００１２】
バルコニー床１を構成する建築用床パネル２の基端部は、図示は省略するが建物内の壁パネルやまぐさ等の上面に設置され、スクリュー釘等によって固定されている。また、床パネル２の長さ方向における中間部は建物の１階の外壁３上に設置されており、この外壁３上には床パネル２を挟んで２階の外壁４が設置されている。外壁３，４はそれぞれ複数の建築用外壁パネル５を並設するとともに、隣り合う建築用外壁パネル５，５どうしを接合することによって構成されたものである。建築用外壁パネル５は框材５ａを矩形枠状に組立て、この矩形枠内に補強桟材を組み付けるとともに、矩形枠の両面に合板等からなる面材５ｂを取り付けたものである。
そして、床パネル２の中間部は、外壁３，４をそれぞれ構成する上下の建築用外壁パネル５，５に挟まれた状態で、連結ボルト６とナット７によって外壁パネル５，５に固定されている。
【００１３】
バルコニー床１の前端縁部と側端縁部とには、手摺壁２０が立設されこの手摺壁２０はバルコニー床１に強固に固定されている。手摺壁２０は、複数の建築用壁パネルを並設するとともに、隣り合う建築用壁パネルどうしを接合することによって構成されたものである。
なお、建築用壁パネルは框材を矩形状に組立て、この矩形枠の両面に合板等からなる面材を取り付けたものであり、このような建築用壁パネルをバルコニー床に固定するには、建築用壁パネルの下面とバルコニー床１の上面とを接着剤によって接着するとともに、建築用壁パネルからバルコニー床１にスクリュー釘を打ち込むことによって行われる。
また、手摺壁２０を構成する建築用壁パネルのうち、バルコニー床１の側端縁部に固定された建築用壁パネルは、建物の躯体を構成する外壁４に固定されている。この固定は、建築用壁パネルの側端面と外壁４の表面とを接着剤によって接着するとともに、建築用壁パネルから外壁４にスクリュー釘を打ち込むことによって行われる。
【００１４】
外壁４には、この外壁４から斜め下方に向けて延出する下屋３０が固定されている。この下屋３０は複数の建築用屋根パネル３１，３２を並設することによって構成されたものである。建築用屋根パネル３１は、框材３１ａを矩形枠状に組立て、この矩形枠内に補強桟材を組み付けるとともに、矩形枠の上面に合板等からなる面材３１ｂを取り付けたものである。同様に、建築用屋根パネル３２は、框材を矩形枠状に組立て、この矩形枠内に補強桟材を組み付けるとともに、矩形枠の上面に合板等からなる面材を取り付けたものである。この建築用屋根パネル３２は建築用屋根パネル３１より長さが短いものである。
そして、下屋３０は建築用屋根パネル３１，３１を両側に配置し、これらの間に建築用屋根パネル３２，３２を配置するとともに、建築用屋根パネル３１，３２の軒先を一直線上に合わせ、さらに、隣り合う建築用屋根パネルどうしを接合することによって構成されている。これによって下屋３０の一部、すなわち、下屋３０の幅方向の中央部でかつ下屋３０の基端部側に、下屋３０の上面から下面まで貫通する開口部３０ａが形成されている。
【００１５】
また、下屋３０を構成する建築用屋根パネル３１は以下のようにして外壁４に固定されている。すなわち、外壁４には、断面略三角形状の結合桁３３がスクリュー釘３４を結合桁３３から外壁４に打ち込むことによって固定されている。なお、スクリュー釘３４は結合桁３３の長さ方向に所定間隔で配置されて外壁４に打ち込まれている。
また、外壁４には、断面略三角形状の結合棟木３５がスクリュー釘３４を結合棟木３５から外壁４に打ち込むことによって固定されている。この結合棟木３５は結合桁３３と平行に延在するものであり、結合桁３３の直上において外壁４に固定されている。なお、スクリュー釘３４は結合棟木３５の長さ方向に所定間隔で配置されて外壁４に打ち込まれている。
【００１６】
結合桁３３には、建築用屋根パネル３１の基端部下面が設置されており、結合棟木３５には建築用屋根パネル３１の基端面が当接されている。そして、建築用屋根パネル３１の基端部上面からスクリュー釘３６を結合桁３３に打ち込むことによって、この建築用屋根パネル３１が外壁４に結合桁３３を介して固定されている。
【００１７】
また、前記バルコニー床１の前端縁部には、結合桁３７が釘打ちや接着によって固定されており、この結合桁３７には建築用屋根パネル３１の先端部が支持されるとともに固定されている。また、建築用屋根パネル３１の先端部上面からフック金物３８が打ち込まれ、このフック金物３８の先端部がスクリュー釘３９によってバルコニー床１の先端面に固定されている。このフック金物３８は略Ｕ字状をなすものであり、建築用屋根パネル３１の框材や補強桟材を跨ぐようにして打ち込まれ、先端部がスクリュー釘３９によってバルコニー床１の先端面に固定されている。
また、前記手摺壁２０を構成する建築用壁パネルのうち、バルコニー床１の前端縁部に固定された建築用壁パネル４０の上端面には結合桁４１が固定され、この結合桁４１には建築用屋根パネル３１の中間部が固定されている。さらに、建築用屋根パネル３１の中間部上面からフック金物３８が、建築用屋根パネル３１の框材や補強桟材を跨ぐようにして打ち込まれ、このフック金物３８の先端部がスクリュー釘３９によって建築用壁パネル４０に固定されている。
このようにして、バルコニー床１は、下屋３０によって結合桁３７、結合桁４１、建築用壁パネル４０、フック金物３８等を介して上方から吊持されるようにして支持されている。
【００１８】
本実施の形態によれば、外壁４に固定された下屋３０にバルコニー床１が固定されることによって、該下屋３０によってバルコニー床１が上方から吊持されるようにして支持されているので、従来に比してバルコニー床１の張出し長さを長くしても、バルコニー床を確実かつ安定的に支持できる。
また、下屋３０に開口部３０ａが形成されているので、この開口部３０ａによって、バルコニーから外部を観ることができるとともに、バルコニーへの採光性や通風性を確保できる。
さらに、バルコニー床１に固定された手摺壁２０を構成する建築用壁パネル４０が下屋３０に固定されているので、バルコニー床１は手摺壁２０を介しても下屋３０から吊持されるようにして支持され、よってより安定的にバルコニー床１を支持できる。
【００１９】
なお、本実施の形態では、手摺壁２０を構成する建築用壁パネルのうち、バルコニー床１の側端縁部に固定された建築用壁パネルを、この建築用壁パネルの側端面と外壁４の表面とを接着剤によって接着するとともに、建築用壁パネルから外壁４にスクリュー釘を打ち込むことによって外壁４に固定したが、これに加えてまたはこれに代えて、第１の実施の形態にように、連結ボルト１２とナット１３によるボルト締結によって固定してもよい。このようにすれば、バルコニー床１を、このバルコニー床１の側端縁部に固定された建築用壁パネルによっても上方から吊持するようにして支持できるので、さらに、強固かつ安定的に支持できる。
【００２０】
また、本実施の形態では、建築用屋根パネル３１の基端部上面からスクリュー釘３６を結合桁３３に打ち込むことによって、この建築用屋根パネル３１を外壁４に結合桁３３を介して固定したが、これに加えてまたはこれに代えて、建築用屋根パネルを、ボルト締結によって外壁４に固定しもよい。この場合、建築用屋根パネル３１の基端部と、外壁４を構成する建築用壁パネルとに連結ボルトを挿通し、この連結ボルトの両端部にナットを螺合して締め付ければよい。このようにすれば、下屋３０を外壁４により強固に固定できる。
【００２１】
【発明の効果】
以上説明したように、請求項１に記載の発明によれば、外壁に固定された下屋によってバルコニー床が上方から吊持されるようにして支持されているので、従来に比してバルコニー床の張出し長さを長くしても、バルコニー床を確実かつ安定的に支持できる。
【００２２】
請求項２に記載の発明によれば、下屋に形成された開口部によって、バルコニーから外部を観ることができるとともに、バルコニーへの採光性や通風性を確保できる。
【００２３】
請求項３に記載の発明によれば、バルコニー床が手摺壁を介しても下屋から吊持されるようにして支持され、よってより安定的にバルコニー床を支持できる。
【図面の簡単な説明】
【図１】本発明のバルコニー床の支持構造の一例を示すもので、その側断面図である。
【図２】同、斜視図である。
【符号の説明】
１  バルコニー床
４  外壁（躯体）
１２  連結ボルト
１３  ナット
２０  手摺壁
３０  下屋
３０ａ  開口部
３１，３２  建築用屋根パネル
４０  建築用壁パネル
【図１】
0003950027.tif 000002
【図２】
0003950027.tif 000003